(57)【特許請求の範囲】
【請求項１】
挿入機器の先端構成部を収納する筒状の中空な収納部を有する洗浄具本体と、
外部から前記収納部内に洗浄のための流体を送液する送液機構と、
前記収納部の内周面に離間して設けられ、前記送液機構から送液された流体を前記収納部の長手軸方向と交差し、互いに異なる方向に噴出する複数の洗浄口と、
前記収納部に収納される前記先端構成部に設けられた開口部内の所望するそれぞれの洗浄対象部位に対して、前記洗浄口から噴出された前記流体が直接的に衝突する位置に、前記先端構成部を位置決めする移動規制部と、
前記移動規制部により前記先端構成部の位置決めされた状態を保持する保持部と、
を備え、
前記先端構成部の開口部は、前記洗浄具本体の長手軸方向に交わる方向に開口し、
前記開口部内には、回動により該開口部から延出する処置具の進行方向を変更させる揺動台と、該揺動台を回動させて起上または倒置させる駆動機構とが配置される挿入機器の洗浄具。
【請求項２】
前記移動規制部は、
前記収納部の長手軸方向に前記挿入機器が移動することを抑制する第１の移動規制部と、
前記収納部の長手軸を中心とした回転方向に前記挿入機器が移動することを抑制する第２の移動規制部と、
を含むことを特徴とする請求項１に記載の挿入機器の洗浄具。
【請求項３】
前記保持部は、前記揺動台の起上により前記収納部の内周面に当接する前記揺動台の先端部により構成されることを特徴とする請求項１に記載の挿入機器の洗浄具。
【請求項４】
前記保持部は、前記収納部の内周面上で離間する前記洗浄口の間に設けられる凸状に突起する係止部を有し、
前記揺動台の起上された前記先端部が前記係止部の角部に掛かり、前記挿入機器の先端構成部を前記移動規制部に押しつけて、前記挿入機器の前記先端構成部の位置決めされた状態を保持することを特徴とする請求項３に記載の挿入機器の洗浄具。
【請求項５】
前記保持部の係止部は、一方の角部に前記挿入機器の先端構成部の開口部を掛けて、他方の角部に前記揺動台の起上された前記先端部を掛けて挟み持ち、前記挿入機器の前記先端構成部の位置決めされた状態を保持することを特徴とする請求項４に記載の挿入機器の洗浄具。
【請求項６】
前記複数の洗浄口は、前記収納部の長手軸方向において前記揺動台が２つの前記洗浄口の間に位置するように配置されることを特徴とする請求項１に記載の挿入機器の洗浄具。
【請求項７】
前記移動規制部は、前記開口部内の所望する洗浄対象部位に対して、前記洗浄口からそれぞれに異なる方向に噴出された前記流体が直接的に衝突する位置に、前記先端構成部を位置決めすることを特徴とする請求項１に記載の挿入機器の洗浄具。
【請求項８】
挿入機器の先端構成部を収納する筒状の中空な収納部を有する洗浄具本体と、
外部から前記収納部内に洗浄のための流体を送液する送液機構と、
前記収納部の内周面に離間して設けられ、前記送液機構から送液された流体を前記収納部の長手軸方向と交差し、互いに異なる方向に噴出する複数の洗浄口と、
前記収納部に収納される前記先端構成部に設けられた開口部内の所望するそれぞれの洗浄対象部位に対して、前記洗浄口から噴出された前記流体が直接的に衝突する位置に、前記先端構成部を位置決めする移動規制部と、
複数の前記洗浄口の少なくとも１つの洗浄口から前記開口部内に噴出された流体は、前記挿入機器を前記移動規制部に押し付ける方向に衝突し、前記挿入機器の前記先端構成部の位置決めされた状態を保持することを特徴とする挿入機器の洗浄具。
【請求項９】
複数の前記洗浄口は、
前記挿入機器を前記移動規制部に押し付ける方向に前記流体を供給する第１の洗浄口と、
前記挿入機器を前記移動規制部に押し付ける方向とは異なる側に前記流体を供給する第２の洗浄口と、を含み、
前記第１の洗浄口及び前記第２の洗浄口が噴出する前記流体の送水力の差分による圧力が前記先端構成部の位置決めされた状態を保持することを特徴とする請求項８に記載の挿入機器の洗浄具。
【請求項１０】
前記先端構成部の開口部は、前記洗浄具本体の長手軸方向に交わる方向に開口し、
前記開口部内には、回動により該開口部から延出する処置具の進行方向を変更させる揺動台と、該揺動台を回動させて起上または倒置させる駆動機構とが配置されることを特徴とする請求項８に記載の挿入機器の洗浄具。
【請求項１１】
前記複数の洗浄口は、前記収納部の長手軸方向において前記揺動台が２つの前記洗浄口の間に位置するように配置されることを特徴とする請求項１に記載の挿入機器の洗浄具。
【請求項１２】
前記移動規制部は、前記開口部内の所望する洗浄対象部位に対して、前記洗浄口からそれぞれに異なる方向に噴出された前記流体が直接的に衝突する位置に、前記先端構成部を位置決めすることを特徴とする請求項８に記載の挿入機器の洗浄具。
【発明の詳細な説明】
【技術分野】
【０００１】
本発明は、先端側に処置具揺動台が設けられた挿入機器の洗浄具に関する。
【背景技術】
【０００２】
一般に、内視鏡本体から挿入部のチャンネル内を挿通し、先端側に開口された開口部から種々の機能を有する処置具、例えば鉗子が延出されている。また、挿入部先端の周面側の一部に開口部が設けられ、その開口部内の処置具収納室に配置され、延出する処置具の進行方向を所望する方向に曲げる揺動機構が知られている。揺動機構の代表的なものとして、処置具用の揺動台（又は、処置具起上台）が知られている。この揺動台は、鉗子等の処置具と当接し、操作部側に設けられた操作レバーを操作することで起上して、処置具の進行方向を所望する方向に変更させることができる。【０００３】
また、挿入部が体腔内に挿入されると、揺動台が配置された開口部分から収納室内に体液や切除された生体組織片等が侵入して、揺動台本体とその周辺部に付着する。処置終了後には、内視鏡は感染症を防止するために洗浄及び消毒が必須である。【０００４】
例えば、特許文献１においては、内視鏡の挿入部の先端部内の洗浄に関する技術が提案されている。内視鏡の挿入部の先端部の前面には、処置具収納室と連通し、洗浄具を取り付けるための取り付け口が形成されている。この孔に取り付けられる洗浄具の接続部は、洗浄液の送液及び吸液するための流路を有しており、この流路を通じて収納室内に洗浄液を送液及び吸引を行うことで収納室内部の汚れを除去している。この構成においては、洗浄具の接続部が直接差し込まれた状態で洗浄が行われるため、使用中の洗浄液の漏出や飛散を防止するためには、確実な接続状態の維持が要求される。【０００５】
この引用文献１において、他の例として、挿入部の先端部全体を覆い、接続部を外れ難くしたカバー部材が提案されている。カバー部材で先端部全体を覆うと、接続部がカバー部材を介して取り付け口に差し込まれた状態で装着される。また、このカバー部材には、装着した際に、収納室の開口部を外部に露出するように、水抜き開口部が形成されている。
【先行技術文献】
【特許文献】
【０００６】
【特許文献１】特開平０８−１９６５０５号公報
【発明の概要】
【発明が解決しようとする課題】
【０００７】
前述した特許文献１による洗浄具は、挿入部の先端部の前面に開口された取り付け口の１つの流路を通じて洗浄液を送液及び吸引しているため、一箇所の一方向から揺動台の裏面側に直接衝突する送液となる。このため、揺動台の起上面側には回り込みでしか洗浄液が届かず、揺動台の起上面、起上軸及び牽引ワイヤの連結等の他の部位に対して直接的な高い水圧を用いた洗浄にはならない。【０００８】
従って、揺動台及びその周辺の洗浄対象部位に直接的に洗浄液を衝突させるためには、適正な装着位置に位置合わせを行う必要がある。さらに、洗浄後の汚れを含んだ洗浄液が排出され、また強い勢い（高い水圧）で洗浄液を挿入部の先端部内に噴出している際に、洗浄具の接続部が先端部から外れた場合、接続部から洗浄液が噴出し、且つ汚物を含んだ洗浄液が先端部から外部に漏れ出る懸念がある。【０００９】
従って、洗浄中においては、先端部から洗浄具が外れないように保持させなければならない。また、意図せずに外れた場合においても、外部への洗浄液の飛散を防止する対策を取らなければならない。さらに、特許文献１による洗浄具が適用できる内視鏡は、挿入部の先端部の前面に収納室と連通する取り付け口を有する構成であるため、これまでに普及している内視鏡の挿入部に対して適用することができない。【００１０】
そこで本発明は、洗浄具本体の所定位置に装着された挿入機器が保持され、異なる複数の方向から洗浄液を洗浄対象部位に直接噴出して洗浄を行う挿入機器の洗浄具を提供することを目的とする。
【課題を解決するための手段】
【００１１】
上記目的を達成するために、本発明に従う実施形態の挿入機器の洗浄具は、挿入機器の先端構成部を収納する筒状の中空な収納部を有する洗浄具本体と、外部から前記収納部内に洗浄のための流体を送液する送液機構と、前記収納部の内周面に離間して設けられ、前記送液機構から送液された流体を前記収納部の長手軸方向と交差し、互いに異なる方向に噴出する複数の洗浄口と、前記収納部に収納される前記先端構成部に設けられた開口部内の所望するそれぞれの洗浄対象部位に対して、前記洗浄口から噴出された前記流体が直接的に衝突する位置に、前記先端構成部を位置決めする移動規制部と、前記移動規制部により前記先端構成部の位置決めされた状態を保持する保持部と、を備え、前記先端構成部の開口部は、前記洗浄具本体の長手軸方向に交わる方向に開口し、前記開口部内には、回動により該開口部から延出する処置具の進行方向を変更させる揺動台と、該揺動台を回動させて起上または倒置させる駆動機構とが配置される。
【発明の効果】
【００１２】
本発明によれば、洗浄具本体の所定位置に装着された挿入機器が保持され、異なる複数の方向から洗浄液を洗浄対象部位に直接噴出して洗浄を行う挿入機器の洗浄具を提供することができる。
【図面の簡単な説明】
【００１３】
【図１】図１は、本発明の第１の実施形態に係る挿入システムの概略図である。
【図２Ａ】図２Ａは、第１の実施形態における先端構成部の上面図である。
【図２Ｂ】図２Ｂは、図２Ａに示す矢印２Ｂ側から見た先端構成部の前面図である。
【図３】図３は、図２Ａに示す先端構成部内の倒置状態にある揺動台の横断面の構成を示す図である。
【図４Ａ】図４Ａは、第１の実施形態の洗浄具の外観構成を示す図である。
【図４Ｂ】図４Ｂは、洗浄具に挿入機器を装着して洗浄する状態を示す図である。
【図５】図５は、挿入機器が非装着時の洗浄具を前面側から見た図である。
【図６Ａ】図６Ａは、挿入機器が装着された時の洗浄具本体の横断面を示す図である。
【図６Ｂ】図６Ｂは、挿入機器が装着された時の洗浄具本体を前方側から見た図である。
【図７】図７は、第２の実施形態に係る洗浄具本体の横断面構成を示す図である。
【図８】図８は、第３の実施形態に係る挿入機器の洗浄具本体の外観構成を示す図である。
【図９】図９は、第４の実施形態に係る挿入機器が装着された時の洗浄具本体の横断面を示す図である。
【図１０】図１０は、第５の実施形態に係る挿入機器が装着された時の洗浄具本体の横断面を示す図である。
【図１１Ａ】図１１Ａは、第６の実施形態に係る挿入機器が装着された時の洗浄具本体の横断面を示す図である。
【図１１Ｂ】図１１Ｂは、洗浄具本体を後方から見た概念図である。
【図１２】図１２は、第７の実施形態に係る洗浄具に用いるシリンジの外観構成を示す図である。
【図１３Ａ】図１３Ａは、挿入機器が装着された時の洗浄具本体の横断面を示す図である。
【図１３Ｂ】図１３Ｂは、挿入機器が装着された時の洗浄具本体を前方側から見た図である。
【図１４】図１４は、洗浄具に挿入機器を装着して洗浄する状態を示す図である。
【図１５Ａ】図１５Ａは、第８の実施形態に係る洗浄具に用いるシリンジの外観構成を示す図である。
【図１５Ｂ】図１５Ｂは、シリンジが取り付けられる洗浄具本体の横断面を示す図である。
【発明を実施するための形態】
【００１４】
以下、図面を参照して本発明の実施形態について詳細に説明する。  
［第１の実施形態］  
第１の実施形態に係る挿入機器の洗浄具について説明する。  
まず、本実施形態の洗浄具の洗浄対象の一例として、内視鏡装置の挿入部の先端に設けられた処置具揺動台（以下、揺動台と称する）を含む先端部について説明する。図１は、洗浄対象となる内視鏡装置のシステム構成を示す図である。図２Ａは、挿入機器先端に設けられる揺動台を含む先端構成部の上面図、図２Ｂは、先端構成部を前面から見た外観構成を示す図である。図３は、図２Ａに示す先端構成部内の倒置状態にある揺動台の横断面の構成を示す図である。
【００１５】
図１に示すように、内視鏡装置１は、主として、内視鏡本体となる挿入機器２と、挿入機器２に照明光を供給する光源装置３と、挿入機器２の先端部に配設される図示しない撮像ユニットで撮像された映像信号に対して画像処理を施すビデオプロセッサを含む制御部４と、撮影された観察画像とその画像に関する情報を表示する表示部５と、表示部５に表示された観察画像を含む画像情報を印刷する印刷部６と、映像信号を記録する記録部７と、で構成される。ここでは、医療用内視鏡装置を挿入機器の一例としているが、これに限定される必要はない。挿入機器２は、他にも、工業用の内視鏡、照明光学系及び観察光学系を有しない、例えば、カテーテルやオーバチューブ等で、洗浄対象となる開口部又は部位が周面側から出し入れされる構成の挿入機器であれば、本実施形態の洗浄具により洗浄を行うことができる。
【００１６】
図１に示すように、挿入機器２は、主として、挿入部１１と操作部１２とで構成される。挿入部１１は、操作部１２と連結している可撓性を有する可撓管部１３と、可撓管部１３の先端と連結する湾曲部１４と、湾曲部１４の先端に設けられた揺動台を収容する先端構成部１５とを有している。操作部１２は、ユニバーサルコード１６により光源装置３及び制御部４に接続されている。挿入部１１の基端部と操作部１２との間には、鉗子等を挿入部内に導入するための鉗子口１７が設けられている。
【００１７】
図３に示すように、挿入機器の先端部である先端構成部１５は、湾曲部１４の節輪１４ａが嵌め込まれて、湾曲部１４と連結している。先端構成部１５は、例えばＳＵＳ等の金属によって本体部２１が形成され、さらに本体部２１の周面は、電気絶縁性を有するカバー部２２で覆われた積層構造である。
【００１８】
図２Ａ及び図２Ｂに示すように、先端構成部１５の外周面の一部は平坦化され、その平坦化された部分は、長手軸方向に二分されて、一方側には、外周面から段差２５ａを設けて平坦な観察面２５が形成され、他方側には、開口部２７が形成されている。観察面２５には、照明光が照射される照明窓部２３及び、図示しない撮像素子が内部に配置されている観察窓部２４が配置されている。この観察面２５の近傍には、ノズル部２６が配設され、生理食塩水等の洗浄液を噴出して照明窓部２３と観察窓部２４が適宜、洗浄される。尚、この観察面２５は、後述する回転方向規制部４２ｈに対する基準位置（基準面）となっている。
【００１９】
また他方側の開口部２７は、図３に示すように、先端構成部１５の側周面に開口する。開口部２７内の格納室（又は、揺動台収納室）２８には、揺動可能に処置具揺動台（以下、揺動台と称する）３１が設置されている。図１及び図３に示すＣは、挿入部１１及び先端構成部１５の長尺となる方向であり、長手軸方向を示している。
【００２０】
回動可能に軸支する起上軸３２と、揺動台３１に一端が連結される牽引ワイヤ３３と、牽引ワイヤの他端に連結さるた操作部１２に設けられた起上操作部３４と、で構成される駆動機構により揺動台３１は、回動して起上または倒置される。このように、狭い格納室２８内に揺動台３１とその駆動機構が設置されているため、例えば、起上軸３２周りや揺動台３１の裏面などの開口部２７から見て陰となる箇所に付着した体液や生体組織片による汚れが落ちにくくなっている。揺動台３１は、起上するタイプだけではなく、処置具を左右に振るタイプであってもよい。
【００２１】
次に、第１の実施形態に係る洗浄具４１について説明する。  
図４Ａは、本実施形態の洗浄具の外観構成を示す図、図４Ｂは、洗浄具に挿入機器を装着して洗浄する状態を示す図、図５は、洗浄具本体を前方側から見た図、図６Ａは、挿入機器が装着された時の洗浄具の横断面を示す図、図６Ｂは、挿入機器が装着された時の洗浄具を前方側から見た図である。以下に説明する洗浄具において、挿入機器の先端部である先端構成部１５を差し入れる側を洗浄具の後方とし、先端構成部１５の先端部が当接する側を前方とする。
【００２２】
本実施形態の洗浄具４１は、大別して、洗浄具本体４２と送液機構４３とで構成される。洗浄具本体４２は、透明部材を用いて、先端構成部１５が装着される中空な収納部を有する。送液機構４３は、洗浄具本体４２の継ぎ手部４２ｇに連結する注入チューブ４９と、注入チューブ４９に連結するシリンジ連結部４７と、シリンジ連結部４７の分岐する吸液端４７ｄから延びる吸引チューブ４８と、浮き上がりを防止し吸引チューブ４８の吸水口を兼ねる筒形状のおもり５０と、洗浄用の流体を流動させるためのポンプ手段となるシリンジ４６と、を有している。洗浄具本体４２を含めて以下に説明する洗浄具４１は、透明部材で作成されていることが好ましい。透明部材を用いることにより、汚れの落ち具合いを外側から確認が容易になる。また、注入チューブ４９と洗浄具本体４２とを着脱構造とすることにより、種々の挿入機器の先端部の形状に合わせて洗浄具本体４２を作成すれば、汎用性の高い洗浄具として使用できる。
【００２３】
シリンジ連結部４７は、三方に分岐するＴ字形状を成し、内部に貯留室（洗浄液６３を一時的に貯留させるためのスペース）４７ｇが形成され、３つの端部のうち、２つの端部には開口する吸液端４７ｄ及び送液端４７ｅが設けられて、それぞれの内部には逆止弁４７ｂ，４７ｃが配置されている。もう１つの端部は、シリンジ取り付け端４７ａとしてシリンジ４６を連結する。シリンジ４６とシリンジ連結部４７を組み合わせることで、ポンプとして機能する。これらの逆止弁４７ｂ，４７ｃは、弁部が移動により、流路を閉塞したり開口したりする公知な構造でよく、例えば、弾性部材からなる円形の仕切り板に、流路よりも大径の弁部となるようにＣ字形のスリットを切り込んだ構成でもよい。
【００２４】
図４Ａ，４Ｂに示すシリンジ連結部４７において、送液端４７ｅ内には、連結部本体の内圧が正圧の時に弁部が外側に向って回動することで開状態となり、負圧の時に弁部が弁座に吸引されて閉状態となる逆止弁４７ｃが設けられる。また、吸液端４７ｄ内には、連結部本体の内圧が負圧の時に弁部が内側に向って回動することで開状態となり、正圧の時に弁部が弁座に押しつけられて閉状態となる逆止弁４７ｂが設けられている。これは、シリンジ４６のプランジャ４６ａを引き出すことで、連結部本体の内圧が負圧となり、洗浄液６３が貯留室４７ｇ内及びシリンジ４６内に流入し、プランジャ４６ａを押し込むことで連結部本体の内圧が正圧となり、貯留室４７ｇ内及びシリンジ４６内から洗浄液６３が流出する。洗浄液６３を送液するシリンジに変わって、送液ポンプ等の送液手段を用いてもよい。
【００２５】
本実施形態の洗浄具４１による挿入機器の洗浄について説明する。  
図４Ｂは、洗浄具４１に挿入機器２の先端構成部１５を装着した状態を示している。洗浄具４１の洗浄具本体４２に、後述する位置決めを行って先端構成部１５を装着し、排水トレイ６１内に設置する。この時、排水トレイ６１内に予め水等の液体を入れておき、洗浄具本体４２を沈めておくことにより、開口部４２ｆから洗浄液６３が勢いよく排出された場合に、液体で勢いを弱くして、排水トレイ６１の周囲に飛び散ることを防止することも可能である。また、別途、飛散防止のためのトレイカバーを用意してもよい。尚、少なくとも排水トレイ６１は、透明部材で作成されていることが好ましい。透明部材を用いることにより、汚れの落ち具合いを外側から確認することが容易になる。洗浄具本体４２は、外部形状が円筒形を成しているが、内部が先端構成部１５が装着できる中空形状であれば、外部形状は限定されるものではなく、矩形の箱形形状であってもよい。
【００２６】
次に、洗浄液６３で満たした吸水トレイ６２に吸引チューブ４８の吸水口５０を沈めるように配置する。シリンジ４６のプランジャ４６ａを引いて、吸水トレイ６２内の洗浄液６３をシリンジ連結部４７の貯留室４７ｇ内及びシリンジ４６内まで汲み上げて満たす。さらにプランジャ４６ａを押すことで、注入チューブ４９から洗浄具本体４２に送液され、後述する２つの洗浄口から異なる角度で供給（ここでは、噴出）し、揺動台を含む格納室２８内を洗浄する。使用後の洗浄液６３は、付着物と共に格納室２８から開口部（図６Ａに示す開口部４２ｆ）を通じて排水トレイ６１に排出される。また同時に、格納室２８内から流れ出た洗浄液６３は、洗浄具本体４２に装着している先端構成部１５の周辺部分を洗浄しながら、後述するクリアランスを通り抜けて、排水トレイ６１に排出される。
【００２７】
図６Ａ，６Ｂを参照して、洗浄具本体４２について説明する。  
本実施形態の洗浄具本体４２は、注入チューブ４９が連結する洗浄液６３の受給口となる継ぎ手部４２ｇ内の１つの流路４２ｋが本体内部で２つの異なる角度の流路４２ｉ，４２ｊに分岐され、それぞれの流路先端に第１，第２の洗浄口４２ａ，４２ｂが配置される構成である。
【００２８】
この例では、第１の洗浄口４２ａは、先端構成部１５の長手軸方向と直交する方向に噴出される例を記載している。また、第２の洗浄口４２ｂは、先端部の前方から後方に向かい斜め下方向に噴出されている。勿論、第１，第２の洗浄口４２ａ，４２ｂの噴出する方向は、限定されるものではなく、設計により、適宜変更される。
【００２９】
洗浄具本体４２は、後方に先端構成部１５を差し入れるための装入口４２ｃが設けられ、前方には先端構成部１５が当接する軸方向規制部４２ｄ（第１の移動規制部）が設けられ、内周面上方に前述した先端構成部１５の観察面２５と対向する回転方向規制部４２ｈ（第２の移動規制部）及び、使用後の洗浄液６３が外部に排出されるための開口部４２ｆが設けられている。
【００３０】
軸方向規制部４２ｄ及び回転方向規制部４２ｈは、移動規制部を構成し、先端構成部１５を洗浄具本体４２内の予め定めた装着位置に位置決めを行う。尚、装着位置は、第１，第２の洗浄口４２ａ，４２ｂの噴出する洗浄液６３が格納室２８内の洗浄対象箇所に直接衝突する位置とする。
【００３１】
本実施形態では、洗浄に使用された洗浄液６３の排水は、開口部４２ｆの他に、先端構成部１５の外周面と、洗浄具本体４２の内周面との間のクリアランスを通じて排出してもよい。さらに、クリアランスでカバーできない程、洗浄液６３の排液量が多い場合には、その内周面の一部に排水が可能な凹型溝状の隙間（図示せず）を内周面上に沿って長手軸方向に形成してもよい。
【００３２】
図６Ａに示すように、先端構成部１５は、装入口４２ｃから洗浄具本体４２に差し入れて、観察面２５と回転方向規制部４２ｈを対向させながら、先端を軸方向規制部４２ｄの位置決め壁４２ｅに当接させることにより、先端構成部１５の軸方向と回転方向の位置決めが行われる。この後、起上操作部３４の操作により、揺動台３１の先端部が第１の洗浄口４２ａと第２の洗浄口４２ｂとの間に位置するように起上させて、洗浄具本体４２の内周面に当接させ、位置決め状態を保持させる。
【００３３】
この揺動台３１の先端部を位置決め状態を保持させる保持部と称し、この先端部が当接する洗浄本体４２の内周面を保持面とする。この保持面は、揺動台３１が完全に倒れる位置と完全に起上する位置の中間の位置に設定され、揺動台３１の位置決めを行う揺動台角度規制部とする。尚、洗浄具本体４２を透明樹脂等で作成することにより、揺動台３１を洗浄具本体４２の上内面に当接させても、揺動台３１には損傷を与えることは無い。
【００３４】
洗浄具本体４２の流路４２ｋ，４２ｉ，４２ｊ及び第１，第２の洗浄口４２ａ，４２ｂについて説明する。尚、実施形態では、それぞれが直線的な流路の先端に洗浄口に設けられているため、分岐箇所から角度を設けて流路を配設した構成を示しているが、洗浄液６３の噴出方向及び洗浄液６３が到達する位置が異なるように洗浄口が設けられれば、流路の経路自体は特に限定されるものではない。さらに、流路の径を流入口の流路４２ｋから第１，第２の洗浄口４２ａ，４２ｂまでの流路４２ｉ，４２ｊの径を先細りに狭めるように形成することで、噴出される洗浄液６３の噴出圧力を高めてもよい。また、第１，第２の洗浄口４２ａ，４２ｂを狭めてノズルとして機能させることで、噴出される洗浄液６３の噴出圧力を高めることも可能である。
【００３５】
図６Ａに示すように、本体内で流路４２ｋは、少なくとも２つの流路４２ｉ，４２ｊに分岐すると共に、その分岐箇所で洗浄液６３の送液方向（噴出角度）が異なるように、流路４２ｉと流路４２ｊの軸方向の間に任意の角度差による傾きが設けられている。第１，第２の洗浄口４２ａ，４２ｂは、先端構成部１５の開口部２７から格納室２８内に対して、異なる噴出角度で格納室２８内に洗浄液６３ａ，６３ｂを噴出するように、各流路先端として、本体内周面上に間隔を空けて開口されている。
【００３６】
第１の洗浄口４２ａは、洗浄対象部位として、先端構成部１５の格納室２８の前方側面（位置決め壁４２ｅ）に接する面の裏側から底面を通って起上する揺動台３１の裏面側に掛かる範囲に、直接的に洗浄液６３ａを噴出する。また、第２の洗浄口４２ｂは、洗浄対象部位として、格納室２８の後方から底面及び揺動台３１の起上軸３２周りや牽引ワイヤ３３等に向けて直接的に洗浄液６３ｂを噴出する。ここでは、第１の洗浄口４２ａと第２の洗浄口４２ｂから、共に挿入機器２の長手軸と交差し、且つ異なる方向（又は、異なる噴出角度）で先端構成部１５の格納室２８へ洗浄液６３を噴出する。
【００３７】
また、洗浄具本体４２は、前後の両端が開口され、内視鏡等の挿入機器の先端構成部１５に対して、先端の開口部４２ｆだけでは無く、前述したように、洗浄具本体４２との間のクリアランスを大きくとり、使用後の洗浄液６３や汚物が外に流れやすいように構成されている。尚、本実施形態では、第１，第２の洗浄口４２ａ，４２ｂの２箇所に洗浄口を設けた構成例について説明したが２箇所以上の複数であってもよい。
【００３８】
以上説明したように、本実施形態によれば、挿入機器２の先端構成部１５が位置決めされた状態を保持し、離間して配置された第１の洗浄口４２ａと第２の洗浄口４２ｂから、互いに異なる方向（又は、異なる噴出角度）で先端構成部１５の格納室２８へ洗浄液６３を噴出することにより、格納室２８内に配設された揺動台３１を含む種々の部位に対して、それぞれに高い送水力で直接的に洗浄液６３を噴出させて洗浄を行うことができる。  
このように、複数の箇所から異なる角度で噴出された洗浄液６３は、直接的に洗浄対象部位に衝突するだけではなく、格納室２８内に複雑な水流を発生させて、より効果的な洗浄を実現する。尚、異なる位置にある洗浄口からの分出角度は、同一であってもよい。
【００３９】
また、意図せずに装着した洗浄具本体４２が位置ずれまたは外れ出たとしても、筒状に先端構成部１５を覆っており、第１の洗浄口４２ａと第２の洗浄口４２ｂから噴出された洗浄液６３ａ，６３ｂは、洗浄具本体４２の一部の内周面（壁面）に衝突し、長手軸方向に流れて排水トレイ６１内に留まるため、直接、作業者には洗浄液６３が掛かることはない。さらに、洗浄具本体４２を水中内に沈めて洗浄を行うことで使用後の洗浄液６３が水中内に排出され、先端構成部１５が洗浄具本体４２から外れ出たとしても、外部への使用後の洗浄液６３の飛散を防止することができる。また、注入チューブ４９と洗浄具本体４２とを着脱構造とすることにより、種々の挿入機器の先端部の形状に合わせて洗浄具本体のみを作成すれば、汎用性の高い洗浄具として使用できる。
【００４０】
［第２の実施形態］  
図７は、第２の実施形態に係る洗浄具本体の横断面構成を示す図である。本実施形態では、前述した第１の実施形態における先端構成部１５の固定方式が異なるだけであり、これ以外の構成部位は、前述した第１の実施形態とは同等である。前述した第１の実施形態では、先端構成部１５の位置決めを保持するために、揺動台３１が起上されて、揺動台３１の先端部を洗浄具本体４２の平坦な内周面を保持面として当接させている。
【００４１】
本実施形態では、図７に示すように、洗浄具本体４２の保持面の箇所に凸形状の係止部５２ｍを形成して、起上された揺動台３１の先端部が角部に掛かるようにする。この構成では、係止部５２ｍの角部が第１の洗浄口４２ａと第２の洗浄口４２ｂとの間に形成され、第２の洗浄口４２ｂを含めた突起形状となっている。  
この係止部５２ｍの角部分に揺動台３１の先端部を起上させて掛けることにより、先端構成部１５が前進して、その先端面が位置決め壁５２ｅに押しつけられることとなり、先端構成部１５の位置決め状態が保持される。
【００４２】
以上のように本実施形態の洗浄具は、前述した第１の実施形態の作用効果に加えて、挿入機器の先端構成部１５が差し入れられて位置決めされた後に、揺動台３１の先端部を起上させて係止部５２ｍに掛けることで、係止部５２ｍと位置決め壁５２ｅの両側を押圧して掛かり、先端構成部１５の位置決め状態を保持することができる。
【００４３】
［第３の実施形態］  
図８は、第３の実施形態に係る挿入機器の洗浄具本体の外観構成を示す図である。本実施形態は、前述した第１，２の実施形態の洗浄具本体における軸方向規制部の形成位置を変更し、この軸方向規制部が前述した第２の実施形態における係止部としても利用される構成であり、洗浄具本体６５の軸方向規制部６５ｍの前後両側を、先端構成部１５の開口部２７の基端側のカバー部２２ａと、揺動台３１の先端部で挟み持つことで位置決め状態を保持する。本実施形態において、位置決め状態の保持部位以外の構成は、前述した第２の実施形態と同等である。
【００４４】
本実施形態の洗浄具本体６５は、前後に開口する円筒形状を成し、外周面に注入チューブ４９が連結する継ぎ手部６５ｇが設けられている。継ぎ手部６５ｇ内の１つの流路６５ｋが本体内部で２つの異なる角度の流路６５ｉ，６５ｊに分岐され、それぞれの流路先端に第１，第２の洗浄口６５ａ，６５ｂが設けられている。第１，第２の洗浄口６５ａ，６５ｂは、先端構成部１５の開口部２７から格納室２８内に対して、異なる噴出角度で格納室内に洗浄液６３ａ，６３ｂを噴出するように、各流路先端で本体内周面に間隔を空けて２箇所で開口するように設けられている。図８において、第１の洗浄口６５ａから噴出される洗浄液６３ａは、先端構成部１５の長手軸方向と直交する方向に噴出される例を記載している。
【００４５】
洗浄具本体６５の内周面上で、先端構成部１５が装入口６５ｃから差し込まれた際に、開口部２７の基端側のカバー部２２ａが当接するように、突起形状の軸方向規制部６５ｍが設けられている。この軸方向規制部６５ｍの設置位置は、軸方向規制部６５ｍの後端の角部にカバー部２２ａが当接した位置で、前述した第１の実施形態の第１，第２の洗浄口４２ａ，４２ｂ（本実施形態では、洗浄口６５ａ，６５ｂ）と同じ噴出角度で同等の格納室２８内の位置に洗浄液６３ａ，６３ｂが噴出されるように設定される。また、前述した第２の実施形態における係止部５２ｍと同様に、軸方向規制部６５ｍの前方側の角部へ揺動台３１の先端部を起上させて掛けると、先端構成部１５が押されてカバー部２２ａにより押圧される。これにより、軸方向規制部６５ｍの前後の角部がカバー部２２ａと揺動台３１の先端部で挟まれた状態となり、洗浄具本体６５が位置決めされた状態が保持されて先端構成部１５に装着される。
【００４６】
このように構成された本実施形態の洗浄具は、前述した第２の実施形態の作用効果に加えて、軸方向規制部６５ｍを洗浄具本体６５の前面から内部に移動しているため、先端構成部１５の先端部を当接させる必要が無く、先端部を当接させることに適さない挿入機器であっても適用することができる。また、軸方向規制部６５ｍは、後方側の角部に挿入機器２の開口部２７の基端側のカバー部２２ａを当接させて位置合わせを行い、さらに前方側の角部に起上させた揺動台３１の先端部を宛がうことで、軸方向規制部６５ｍを挟み、先端構成部１５の先端部の位置決め状態を保持させることができる。使用後の洗浄液６３を排出する際に、洗浄具本体５２の全前面が洗浄液６３の排出の開口部となるため、洗浄液６３の排出水量が増加しても対応することができる。
【００４７】
［第４の実施形態］  
図９は、第４の実施形態に係る挿入機器が装着された時の洗浄具本体の横断面を示す図である。本実施形態は、洗浄具本体の第１，第２の洗浄口から噴出される洗浄液６３の圧力により、先端構成部１５の先端部の位置決め状態を保持させる構成である。本実施形態において、洗浄具本体の流路７２ｉ，７２ｊ及び第１，第２の洗浄口７２ａ，７２ｂ以外の構成は、前述した第１の実施形態と同等である。
【００４８】
本実施形態の洗浄具本体７２は、注入チューブ４９が連結する洗浄液６３の受給口となる継ぎ手部７２ｇ内の１つの流路７２ｋが本体内部で２つの異なる角度の流路７２ｉ，７２ｊに分岐され、それぞれの第１，第２の洗浄口７２ａ，７２ｂに送液する構成である。
【００４９】
この例では、流路７２ｉは、後方から斜め下方の前方に鋭角で向かう角度α１に設定され、流路７２ｊは、同様に後方から斜め下方の前方に鋭角で向かい、角度α１よりも大きい角度β１（但し、９０度未満）に設定される。本実施形態では、第１の洗浄口７２ａから洗浄液６３ａの噴出される方向と流路７２ｉの長手軸方向とは同軸上にあり、噴出角度と角度α１は同じである。また、第２の洗浄口７２ｂから洗浄液６３ｂの噴出される方向と流路７２ｊの長手軸方向とは同軸上にあり、噴出角度と角度β１は同じである。
【００５０】
これらの第１，第２の洗浄口７２ａ，７２ｂから噴出された洗浄液６３ａ，６３ｂは、先端構成部１５の格納室２８の所定位置（第１の実施形態と同じ衝突位置）に衝突して、洗浄を行う。具体的には、第１の洗浄口７２ａから噴出された洗浄液６３ａは、格納室２８の前方側面及び底面から揺動台３１の裏面側の範囲に直接的に掛かり洗浄する。また、第２の洗浄口７２ｂから噴出された洗浄液６３ａは、揺動台３１の起上面及び格納室２８の後方から底面及び揺動台３１の起上軸３２周りや牽引ワイヤ３３の取り付け箇所等に直接的に掛かり洗浄する。
【００５１】
このような構成により、本実施形態の洗浄具は、噴出された洗浄液６３ａ，６３ｂによる圧力が先端構成部１５の格納室２８を軸方向規制部７２ｄへ押しつける方向に働き、先端構成部１５の先端部を位置決めされた状態を保持する。
【００５２】
また、洗浄液６３ｂによる圧力の働く方向（角度β１）は、洗浄液６３ａによる圧力の働く方向（角度α１）よりも大きい角度である。つまり、異なる角度で洗浄液６３ａ，６３ｂを噴出させることにより、洗浄液６３ａによる圧力は、格納室２８を軸方向規制部７２ｄへ押しつける方向に働く力の割合が高く、洗浄液６３ｂによる圧力は、格納室２８を洗浄具本体の内周面側へ押しつける方向に働く力の割合が高くなっている。従って、洗浄液６３ａの圧力により軸方向規制部７２ｄへ押し付けられ、洗浄液６３ｂの圧力により、先端構成部１５の浮き上がりを防止することができる。勿論、第１，第２の洗浄口７２ａ，７２ｂの噴出する方向については、角度は限定されるものではなく、設計により適宜変更される。噴出された洗浄液６３ａ，６３ｂによる圧力が先端構成部１５の格納室２８を軸方向規制部７２ｄへ押しつける方向に働けば、鋭角であるα１とβ１とは、同一角度であってもよい。
【００５３】
［第５の実施形態］  
図１０は、第５の実施形態に係る挿入機器が装着された時の洗浄具本体の横断面を示す図である。本実施形態は、前述した第４の実施形態と同様に、洗浄具本体の第１，第２の洗浄口から噴出される洗浄液６３の送水力（圧力）により、先端構成部１５の先端部の位置決め状態を保持させる構成である。本実施形態において、洗浄具本体の流路８２ｉ，８２ｊ及び第１，第２の洗浄口８２ａ，８２ｂ以外の構成は、前述した第１の実施形態と同等である。
【００５４】
本実施形態の洗浄具本体８２は、洗浄液６３の受給口となる継ぎ手部８２ｇ内の１つの流路８２ｋが本体内部で２つの異なる角度の流路８２ｉ，８２ｊに分岐され、それぞれの第１，第２の洗浄口８２ａ，８２ｂに送液する構成である。尚、流路８２ｉの径の断面積が流路８２ｊの径の断面積よりも大きく設定され、第１の洗浄口８２ａが噴出する時間当たりの洗浄液量［第１の送水量］は、第２の洗浄口８２ｂの洗浄液量［第２の送水量］よりも多くなり、洗浄液６３ａによる送水力が洗浄液６３ｂよりも大きくなるように設定されている。
【００５５】
この例では、流路８２ｉは、後方から斜め下方の前方に鋭角（長手軸の後方からの角度）で向かう角度α２に設定される。一方、流路８２ｊは、前方から斜め下方の後方に鈍角で向かう角度β２（９０度以上）に設定される。この例では、分岐した後、流路８２ｉと流路８２ｊは、（β−α）の角度差を有している。図１０において、第１の洗浄口８２ａから洗浄液６３ａの噴出される方向と流路８２ｉの長手軸方向とは同軸上にあり、噴出角度と角度α２は同じである。また、第２の洗浄口８２ｂから洗浄液６３ｂの噴出される方向と流路８２ｊの長手軸方向とは同軸上にあり、噴出角度と角度β２は同じである。
【００５６】
これらの第１，第２の洗浄口８２ａ，８２ｂから噴出された洗浄液６３ａ，６３ｂは、先端構成部１５の格納室２８の洗浄対象部位に直接衝突して洗浄を行う。即ち、第１の洗浄口８２ａから噴出された洗浄液６３ａは、格納室２８の前方側面及び底面から揺動台３１の裏面側の範囲に直接的掛かり洗浄する。また、第２の洗浄口８２ｂから噴出された洗浄液６３ｂは、格納室２８の後方側の底面及び揺動台３１の起上軸３２周りや牽引ワイヤ３３の取り付け箇所等に直接的に掛かり洗浄する。
【００５７】
このような構成により、本実施形態の洗浄具は、噴出された洗浄液６３ａと洗浄液６３ａの送水力の差分による圧力が先端構成部１５の格納室２８を軸方向規制部８２ｄへ押しつける方向に働き、先端構成部１５の先端部を位置決めされた状態を保持することができる。勿論、この位置決め状態の保持に必要な圧力に応じて、第１，第２の洗浄口８２ａ，８２ｂの噴出される洗浄液量（径の断面積）及び洗浄液６３ａ，６３ｂが噴出される方向は、設計により適宜変更される。尚、本実施形態及び第４の実施形態では、２つの洗浄口を設けた例について説明しているが、送水力の圧力によって先端構成部１５の位置決め状態が保持され、格納室内を十分に洗浄することができるのであれば、洗浄口は、１つまたは３つ以上であってもよい。
【００５８】
［第６の実施形態］    
図１１Ａは、第６の実施形態に係る挿入機器が装着された時の洗浄具本体の横断面を示す図、図１１Ｂは、洗浄具本体を後方から見た概念図である。本実施形態は、洗浄具本体９２に装着された挿入機器の先端構成部１５の位置決め状態を保持する保持部材９３を設けた構成例である。本実施形態において保持部材以外の構成は、前述した第１の実施形態と同等である。
【００５９】
図１１Ａに示すように、洗浄具本体９２の後方には、装着された先端構成部１５を左右両側から挟み持つ筒形状の保持部材９３が嵌合されて取り付けられている。この保持部材９３は、弾性部材を用いて、洗浄具本体９２の後方の段差を設けられた取り付け部９２ｎに嵌合される円筒部９３ａと、円筒部９３ａからテーパー状に広がる段差を経て開口面が楕円形状の保持部９３ｂとで構成される。保持部９３ｂは、狭まった辺（図１１Ｂの矢印９３ｂの箇所）の両側からｎ方向に働く弾性力で先端構成部１５を左右両側から挟持し、前述した実施形態における位置決めされた状態で先端構成部１５を保持する。また、図１１Ｂに示す楕円形状の保持部９３ｂにおける先端構成部１５の上下に生じる彎月状の空隙９３ｃは、洗浄液６３の排出路として利用される。
【００６０】
このような構成により、洗浄具本体９２に位置決めされて装着された先端構成部１５は、保持部材９３により挟持されて位置決め状態が保持される。この保持された状態で、噴出された洗浄液６３が洗浄対象部位へ直接的に衝突して洗浄が行われる。また、洗浄後の洗浄液６３は、洗浄具本体９２との間のクリアランスを通過して、保持部材９３の空隙９３ｃから排出される。
【００６１】
また、意図しない状況下で、洗浄具本体９２から先端構成部１５が外れ出たとしても、洗浄具本体９２と保持部材９３により、噴出の進行方向が拡散されて、洗浄液６３の勢いが弱まり、開口部９２ｆ及び空隙９３ｃから外部に排出されるため作業者には、洗浄液６３が掛かることはない。さらに、第１の実施形態と同様に、洗浄具本体８４を水中内に沈めて洗浄を行うことで使用後の洗浄液６３が水中内に排出され、外部に先端構成部１５が洗浄具本体８４から外れ出たとしても、外部への使用後の洗浄液６３の飛散を防止することができる。
【００６２】
［第７の実施形態］  
図１２は、第７の実施形態に係る洗浄具に用いるシリンジの外観構成を示す図、図１３Ａは、挿入機器が装着された時の洗浄具本体の横断面を示す図、図１３Ｂは、挿入機器が装着された時の洗浄具本体を前方側から見た図、及び図１４は、洗浄具に挿入機器を装着して洗浄する状態を示す図である。
本実施形態は、前述した注入チューブ、シリンジ連結部、シリンジ及び吸引チューブにより構成された送液機構に代わって、図１２に示すシリンジ４６と先細りノズル９４とを用いている。
【００６３】
本実施形態の洗浄具は、内部が円筒形状の中空を成す収納部を有する洗浄具本体１０１と、洗浄液６３を供給するシリンジ４６及び先細りノズル９４からなる送液機構と、で構成される。
【００６４】
洗浄具本体１０１は、先細りノズル９４が着脱可能に差し込まれる洗浄液６３の受給口となる継ぎ手部１０１ｇ、１０１ｈと、継ぎ手部１０１ｇ、１０１ｈ内に形成される先細りノズル９４の外形状に一致するガイド孔１０１ｉ、１０１ｊと、ガイド孔１０１ｉ、１０１ｊから先細りノズル９４の先端を洗浄具本体１０１内に突出させるための開口部１０１ａ，１０１ｂとを有する。さらに、洗浄具本体１０１は、後方に先端構成部１５を差し入れるための装入口１０１ｃが設けられ、前方には先端構成部１５が当接する軸方向規制部１０１ｄが設けられ、内周面上方に先端構成部１５の観察面２５と対向する回転方向規制部１０１ｍ及び、使用後の洗浄液６３（６３ａ，６３ｂ）が外部に排出されるための開口部１０１ｆが設けられている。軸方向規制部１０１ｄ及び回転方向規制部１０１ｍは、移動規制部を構成し、先端構成部１５を洗浄具本体１０１内の予め定めた装着位置に位置決めを行う。
【００６５】
継ぎ手部１０１ｇ、１０１ｈは、平行して洗浄液６３が前方斜め上方から後方斜め下方に注入されるように、洗浄具本体１０１の長手軸に対して後方から角度γ（鈍角）に設定される。格納室２８内の揺動台３１は、起上されて先端部が洗浄具本体１０１の内周面に当接し、位置決めされた状態の先端構成部１５を保持している。
【００６６】
開口部１０１ａは、差し込まれた先細りノズル９４の先端が、起上された揺動台３１の裏面側を通過した位置まで突出し、格納室２８内の底面に洗浄液６３が直接衝突する位置となるように、開口径が設定されている。同様に、開口部１０１ｂは、差し込まれた先細りノズル９４の先端が揺動台３１の牽引ワイヤ３３の直前の位置まで突出し、格納室２８内の起上軸３２周りやその周辺部に洗浄液６３が直接衝突する位置となるように、開口径が設定されている。
【００６７】
また本実施形態では、図１３Ｂに示すように、継ぎ手部１０１ｇは、洗浄液６３ａが格納室２８内に対して、垂直に噴出できるように、ガイド孔１０１ｉの先細りノズル９４を保持する角度が設定されている。また、継ぎ手部１０１ｈは、洗浄液６３ｂが格納室２８内に対して、噴出した洗浄液６３が内部を周回するように、ガイド孔１０１ｊの先細りノズル９４を保持する角度が垂直より傾いた角度に設定されている。
【００６８】
図１４を参照して、洗浄具による挿入機器の洗浄について説明する。  
洗浄具本体１０１に、先端構成部１５を位置決めして装着し、排水トレイ６１内に設置する。この時、排水トレイ６１内に予め水等の液体を入れて、洗浄具本体１０１を沈めておけば、洗浄具本体１０１から排出された洗浄液６３の勢いを弱くして、排水トレイ６１の周囲に飛び散ることを防止することも可能である。
【００６９】
次に、先細りノズル９４の先端を容器に収納される洗浄液６３内に入れて、プランジャ４６ａを引き、洗浄液６３を吸引してシリンジ４６内に収容する。先細りノズル９４を継ぎ手部１０１ｇのガイド孔１０１ｉの開口から突き当たるまで差し入れて装着する。この時、他方のガイド孔１０１ｊの開口が密閉されるように、継ぎ手部１０１ｈを漏れ防止用キャップ９５で密栓する。この密栓は、継ぎ手部１０１ｇから洗浄液６３を注入した際に、ガイド孔１０１ｊに逆流して、継ぎ手部１０１ｈから溢れ出ないようにするために、使用される。
【００７０】
次に、プランジャ４６ａをシリンジ４６内に押し込み、収容している洗浄液６３を先細りノズル９４の先端から勢いよく格納室２８内に噴出させる。噴出された洗浄液６３ａは、格納室２８内の揺動台３１の裏面側と格納室２８の底面に直接的に衝突して洗浄を行う。この時、洗浄液６３ａは、揺動台３１の表側（起上面側）や起上軸３２周りや牽引ワイヤ３３の取り付け箇所等に回り込み、洗浄する。洗浄後の洗浄液６３ａは、開口部１０１f及び、先端構成部１５と洗浄具本体１０１の間のクリアランスを流れ出て、排水トレイ６１内に排出される。尚、洗浄液６３ａは、クリアランスを流れ出る際に、先端構成部１５の周辺部分を洗浄しながら、排水トレイ６１に排出される。
【００７１】
次に、シリンジ４６を継ぎ手部１０１ｇから抜き取り、漏れ防止用キャップ９５を継ぎ手部１０１ｈから継ぎ手部１０１ｇに移動させて密栓を行う。シリンジ４６に新たな洗浄液６３を吸引して収納した後、先細りノズル９４を継ぎ手部１０１ｈに差し入れる。続いて、プランジャ４６ａをシリンジ４６内に押し込み、洗浄液６３ｂを先細りノズル９４の先端から勢いよく格納室２８内に噴出させる。
【００７２】
噴出された洗浄液６３ｂは、格納室２８内の揺動台３１の表側（起上面側）や起上軸３２周りや牽引ワイヤ３３の取り付け箇所等に直接的に衝突して洗浄を行う。また、この時、洗浄液６３ｂは、揺動台３１の裏面側に回り込んで洗浄する。洗浄後の洗浄液６３ｂは、洗浄液６３ａと同様に、開口部１０１f及びクリアランスを流れ出て、排水トレイ６１内に排出される。尚、洗浄液６３ｂは、クリアランスを流れ出る際に、先端構成部１５の周辺部分を洗浄しながら、排水トレイ６１に排出される。
【００７３】
尚、継ぎ手部１０１ｇと継ぎ手部１０１ｈとの間隔を同時に２本のシリンジが取り付けられる間隔に形成して、２本のシリンジの取り付けて、交互に、または同時にプランジャを押して洗浄することも可能である。但し、同時にプランジャを押す場合、２つのプランジャが片手で届く範囲でない、または排水トレイ６１にシリンジ４６が固定されていなければ、二人の作業者により行うこととなる。
【００７４】
このような構成により、装着された先細りノズル９４の先端が洗浄対象部位の直前まで容易に届くため、先細りノズル９４から噴出された洗浄液６３ａ，６３ｂが揺動台３１の裏側、また起上軸３２周りや牽引ワイヤ３３の取り付け箇所等を強力に洗浄することができる。また、洗浄具は、洗浄具本体１０１とシリンジ４６のみの構成であり、低コストで実現することができる。
【００７５】
［第８の実施形態］  
図１５Ａは、第８の実施形態に係る洗浄具に用いるシリンジの外観構成を示す図、図１５Ｂは、シリンジが取り付けられる洗浄具本体の横断面を示す図である。  
本実施形態は、前述した第７の実施形態において、洗浄液の送液機構がシリンジ４６と先細りノズル９４の組み合わせにより構成されていたが、本実施形態ではシリンジのみで構成される例である。
【００７６】
図１５Ａに示すシリンジ１０２は、プランジャ１０２ａと、比較的短い先細りの形状の先端部１０２ｂが一体的に取り付けられた筒本体（注射筒）とで構成される。洗浄具本体１０３は、前述した第７の実施形態における洗浄具本体１０１と同等な構成であり、継ぎ手部１０３ｇ，１０３ｈのガイド孔１０３ｉ，１０３ｊがシリンジ４６の先端部１０２ｂの外形形状に合うように形成されている。  
このような構成により、前述した第７の実施形態と同等の効果を奏することができ、さらに部品点数が減ることから、コストが低くなり、また構成部品の管理も容易になる。
【符号の説明】
【００７７】
１…内視鏡装置、２…挿入機器、３…光源装置、４…制御部、５…表示部、６…印刷部、７…記録部、１１…挿入部、１２…操作部、１３…可撓管部、１４…湾曲部、１４ａ…節輪、１５…先端構成部、１６…ユニバーサルコード、１７…鉗子口、２１…本体部、２２…カバー部、２３…照明窓部、２４…観察窓部、２５…観察面、２６…ノズル部、２７…開口部、２８…格納室（揺動台収納室）、２９…先端開口部、３１…揺動台（処置具揺動台）、３２…起上軸、３３…牽引ワイヤ、３４…起上操作部、４１…洗浄具、４２…洗浄具本体、４２ａ…第１の洗浄口、４２ｂ…第２の洗浄口、４２ｃ…装入口、４２ｄ…軸方向規制部、４２ｅ，５２ｅ…位置決め壁、４２ｆ…開口部、４２ｇ…継ぎ手部、４２ｈ…回転方向規制部、４２ｉ，４２ｊ，４２ｋ…流路、４３…送液機構、４４…注入チューブ、４６…シリンジ、４６ａ…プランジャ、４７…シリンジ連結部、４７ｂ，４７ｃ…逆止弁、４８…吸引チューブ、４９…注入チューブ、５０…吸水口、６１…排水トレイ、６２…吸水トレイ、６３…洗浄液。
【図１】
0006001215.tif 000002
【図２Ａ】
0006001215.tif 000003
【図２Ｂ】
0006001215.tif 000004
【図３】
0006001215.tif 000005
【図４Ａ】
0006001215.tif 000006
【図４Ｂ】
0006001215.tif 000007
【図５】
0006001215.tif 000008
【図６Ａ】
0006001215.tif 000009
【図６Ｂ】
0006001215.tif 000010
【図７】
0006001215.tif 000011
【図８】
0006001215.tif 000012
【図９】
0006001215.tif 000013
【図１０】
0006001215.tif 000014
【図１１Ａ】
0006001215.tif 000015
【図１１Ｂ】
0006001215.tif 000016
【図１２】
0006001215.tif 000017
【図１３Ａ】
0006001215.tif 000018
【図１３Ｂ】
0006001215.tif 000019
【図１４】
0006001215.tif 000020
【図１５Ａ】
0006001215.tif 000021
【図１５Ｂ】
0006001215.tif 000022